(57)【要約】  視認性および意匠性に優れたエレベーターの操作表示器具を提供する。エレベーターの操作表示器具（１）は、エレベーターの運行状況を表示する表示部（４）および点灯する操作部（５）の少なくとも一方が設けられたフェースプレート（３）と、光を透過させない材料で形成され、多数の微細孔を有し、フェースプレート（３）の前面に重なるように設けられた薄板（７）と、を備える。表示部（４）による表示または操作部（５）の点灯は、複数の微細孔を通って薄板（７）の手前に漏れた点状の光の集合として視認される。
2019239492.tif 000002
【特許請求の範囲】
【請求項１】
エレベーターの運行状況を表示する表示部および点灯する操作部の少なくとも一方が設けられたフェースプレートと、
光を透過させない材料で形成され、多数の微細孔を有し、前記フェースプレートの前面に重なるように設けられた薄板と、
を備えたエレベーターの操作表示器具。
【請求項２】
前記薄板には、孔径が０．１ｍｍ以上かつ０．３ｍｍ以下である多数の微細孔が０．１ｍｍ以上かつ０．３ｍｍ以下の間隔で配置された請求項１に記載のエレベーターの操作表示器具。
【請求項３】
前記薄板は、前記フェースプレートの前面の全体を覆い、微細孔を除いて表面に凹凸を有しない請求項１または請求項２に記載のエレベーターの操作表示器具。
【請求項４】
前記薄板は、ステンレス鋼で形成され、透明樹脂を用いて前記フェースプレートと一体成型された請求項１から請求項３のいずれか１項に記載のエレベーターの操作表示器具。
【発明の詳細な説明】
【技術分野】
【０００１】
この発明は、エレベーターの操作表示器具に関する。
【背景技術】
【０００２】
特許文献１には、エレベーターの表示装置が記載されている。この表示装置には、表示部に対し直交する方向に沿った複数の穿設部を有する表面部が設けられる。表示部は、表面部の穿設部を通して視認される。
【先行技術文献】
【特許文献】
【０００３】
【特許文献１】日本特開２００３−３３５４６９号公報
【発明の概要】
【発明が解決しようとする課題】
【０００４】
しかしながら、特許文献１に記載の表示装置では、表面部の剛性を保つためには、複数の穿設部に厚みを持たせる必要がある。この場合、視認性および意匠性が低下する。【０００５】
この発明は、上記の課題を解決するためになされた。その目的は、視認性および意匠性に優れたエレベーターの操作表示器具を提供することである。
【課題を解決するための手段】
【０００６】
この発明に係るエレベーターの操作表示器具は、エレベーターの運行状況を表示する表示部および点灯する操作部の少なくとも一方が設けられたフェースプレートと、光を透過させない材料で形成され、多数の微細孔を有し、フェースプレートの前面に重なるように設けられた薄板と、を備える。
【発明の効果】
【０００７】
この発明によれば、薄板は、光を透過させない材料で形成され、多数の微細孔を有し、フェースプレートの前面に重なるように設けられた。このため、視認性および意匠性に優れたエレベーターの操作表示器具を実現できる。
【図面の簡単な説明】
【０００８】
【図１】実施の形態１におけるエレベーターの操作表示器具の正面図である。
【図２】実施の形態１におけるエレベーターの操作表示器具の断面図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態１．
図１は、実施の形態１におけるエレベーターの操作表示器具の正面図である。図２は、実施の形態１におけるエレベーターの操作表示器具の断面図である。図２は、操作表示器具１を右側から見た断面を示す。
【００１１】
操作表示器具１は、例えば、エレベーターのかごまたは乗場に設けられる操作盤である。かご内操作盤は、例えば、かご内の壁に設けられる。乗場操作盤は、例えば、乗場の壁に設けられる。乗場操作盤は、例えば、乗場の床に設置された台に設けられてもよい。
【００１２】
図１および図２は、操作表示器具１がかご内操作盤である場合を例示している。
【００１３】
操作表示器具１は、例えば、筐体２に取り付けられる。操作表示器具１は、例えば、フェースプレート３、表示部４、操作部５および発音部６を備える。なお、操作表示器具１は、必ずしも表示部４、操作部５および発音部６の全てを備えるとは限らない。
【００１４】
筐体２は、例えば、かご内の壁または乗場の壁などに埋め込まれる。筐体２は、例えば、前面が開口した構造に形成される。
【００１５】
フェースプレート３は、板状に形成される。フェースプレート３は、例えば、筐体２の開口面の全体を塞ぐように取り付けられる。
【００１６】
フェースプレート３には、例えば、表示部４が設けられる。表示部４は、例えば、表示装置４ａおよび表示板４ｂを有する。表示装置４ａは、例えば、インジケーターまたは液晶ディスプレイ等である。表示板４ｂは、例えば、透過性の合成樹脂等で形成される。
【００１７】
表示装置４ａは、可視光を発することで情報を表示する。表示装置４ａは、例えば、文字、記号または図形等で情報を表示する。表示装置４ａは、例えば、エレベーターの運行状況を表示する。運行状況には、例えば、かごが位置する階床およびかごの移動方向等が含まれる。表示装置４ａによる表示内容は、フェースプレート３の前面側から表示板４ｂを通して視認可能である。
【００１８】
フェースプレート３には、例えば、１つまたは複数の操作部５が設けられる。操作部５は、例えば、静電容量式のタッチボタンまたは光学式のタッチボタン等である。
【００１９】
例えば、操作表示器具１が乗場操作盤である場合、乗場呼びボタンまたは行先階ボタン等が操作部５として設けられ得る。例えば、操作表示器具１がかご内操作盤である場合、戸開ボタン、戸閉ボタンおよび行先階ボタン等が操作部５として設けられ得る。
【００２０】
個々の操作部５は、例えば、可視光を発する光源を有する。光源は、例えば、ボタンに内蔵されたＬＥＤランプ等である。操作部５の光源は、当該操作部５が受け付けた操作に応じて点灯または消灯する。
【００２１】
戸開ボタンおよび戸閉ボタンは、例えば、操作されている間だけ点灯し、操作されなくなると消灯する。乗場呼びボタンおよび行先階ボタンは、例えば、消灯した状態で操作されると点灯を開始し、当該操作によって登録された呼びに対する応答が完了すると消灯する。
【００２２】
フェースプレート３には、例えば、発音部６が設けられる。発音部６は、例えば、スピーカーまたはブザー等である。
【００２３】
発音部６は、フェースプレート３の前面側に向かって音を発することで情報を報知する。発音部６は、例えば、エレベーターの運行状況および操作部５が受け付けた操作等を示す情報を報知する。
【００２４】
表示装置４ａ、操作部５および発音部６は、例えば、図示しない制御装置と電気的に接続される。制御装置は、例えば、表示装置４ａ、操作部５および発音部６の動作を制御する。制御装置は、例えば、筐体２の内部に設けられる。
【００２５】
操作表示器具１は、薄板７を備える。薄板７は、可視光を透過させない材料で板状に形成される。薄板７は、例えば、ステンレス鋼で形成される。薄板７は、例えば、フェースプレート３よりも薄く形成される。
【００２６】
薄板７は、フェースプレート３の前面に重なるように設けられる。
【００２７】
薄板７は、フェースプレート３の前面のうち、少なくとも表示部４が位置する範囲、操作部５が位置する範囲および発音部６が位置する範囲に重なるように設けられる。この場合、これらの機能要素ごとに個別の薄板７が用いられてもよい。
【００２８】
薄板７は、例えば、１枚でフェースプレート３の前面の全体を覆うように設けられる。この場合、薄板７は、フェースプレート３と同じ大きさに形成されてもよい。また、この場合、薄板７は、フェースプレート３よりも大きく形成されてもよい。
【００２９】
図１および図２は、１枚の薄板７がフェースプレート３の前面の全体を覆うように設けられた場合を例示している。なお、図２では薄板７がフェースプレート３から離れた状態で図示されているが、実際には、薄板７はフェースプレート３と接触する。
【００３０】
薄板７には、多数の微細孔が形成される。多数の微細孔は、薄板７の厚さ方向に沿って貫通する。多数の微細孔の孔径は、例えば、０．１ｍｍ以上かつ０．３ｍｍ以下である。多数の微細孔は、例えば、０．１ｍｍ以上かつ０．３ｍｍ以下のピッチで並んでいる。
【００３１】
多数の微細孔は、薄板７の全体の中で、少なくとも表示部４、操作部５および発音部６に重なる範囲に形成される。多数の微細孔は、例えば、薄板７の全体に均一に形成されてもよい。
【００３２】
薄板７の表面は、例えば、微細孔を除く凹凸が存在しないように平坦に形成される。薄板７の表面には、例えば、各操作部５の位置を示す標示が付される。当該標示は、例えば、ボタンの機能に応じた文字または図形等である。
【００３３】
表示装置４ａから発せられた光は、透過性の表示板４ｂおよび表示板４ｂと重なる範囲に存在する複数の微細孔を通り、薄板７の前方へと漏れる。つまり、操作表示器具１の正面視において、表示部４よる情報の表示は、複数の微細孔を通って薄板７の手前に漏れた細かい点状の光の集合として視認される。
【００３４】
操作部５から発せられた光は、当該操作部５と重なる範囲に存在する複数の微細孔を通り、薄板７の前方へと漏れる。つまり、操作表示器具１の正面視において、操作部５の点灯は、複数の微細孔を通って薄板７の手前に漏れた細かい点状の光の集合として視認される。
【００３５】
操作部５に対する操作の受け付けは、当該操作部５と重なる範囲に存在する微細孔を通して機能する。操作部５は、例えば、静電容量式のタッチボタンまたは光学式のタッチボタンであれば、薄板７の上から指が触れたことを認識可能である。
【００３６】
発音部６から発せられた音は、発音部６と重なる範囲に存在する複数の微細孔を通り、薄板７の前方へと漏れる。つまり、発音部６による情報の報知も、薄板７の微細孔を通して機能する。
【００３７】
以上で説明した実施の形態１によれば、フェースプレート３には、可視光を発することでエレベーターの運行状況を表示する表示部４および点灯する操作部５の少なくとも一方が設けられる。薄板７は、可視光を透過させない材料で形成され、厚さ方向に沿って貫通した多数の微細孔を有し、フェースプレート３の前面のうち表示部４が位置する範囲および操作部５が位置する範囲の少なくとも一方に重なるように設けられる。表示部４による表示または操作部５の点灯は、複数の微細孔を通って薄板７の手前に漏れた点状の光の集合として視認される。薄板７の微細孔は認識され難いため、表示部４による表示または操作部５の点灯がなされていない状態の操作表示器具１は、ノイズを感じさせない外観を呈する。このため、視認性および意匠性に優れたエレベーターの操作表示器具１を実現できる。
【００３８】
また、薄板７には、例えば、孔径が０．１ｍｍ以上かつ０．３ｍｍ以下である多数の微細孔が、０．１ｍｍ以上かつ０．３ｍｍ以下の間隔で配置される。このため、薄板７に微細孔が存在することを利用者に認識され難くすることができる。その結果、意匠性に優れたエレベーターの操作表示器具１を実現できる。
【００３９】
また、薄板７は、例えば、フェースプレート３の前面の全体を覆い、複数の微細孔を除いて表面に凹凸を有しない。この場合、表示部４、操作部５および発音部６等の機能要素と他の部分との境界を無くし、操作表示器具１の外観の統一感を高めることができる。その結果、意匠性に優れたエレベーターの操作表示器具１を実現できる。
【００４０】
また、薄板７は、例えば、ステンレス鋼で形成され、透明樹脂を用いてフェースプレート３と一体成型されてもよい。この場合、美観に優れた薄板７をフェースプレート３に一体感をもって形成することができる。その結果、意匠性に優れたエレベーターの操作表示器具１を実現できる。
【００４１】
また、多数の微細孔を有する薄板７は、表示板４ｂだけを覆うように設けられてもよい。つまり、操作部５および発音部６に対応する範囲ではフェースプレート３を露出させてもよい。この場合も、薄板７で表示部４が隠された状態となるため、操作表示器具１の外観の統一感を高めることができる。また、この場合、薄板７が表示板４ｂと一体成型されてもよい。
【産業上の利用可能性】
【００４２】
この発明は、視認性および意匠性に優れたエレベーターの操作表示器具に利用できる。
【符号の説明】
【００４３】
１  操作表示器具
２  筐体
３  フェースプレート
４  表示部
４ａ  表示装置
４ｂ  表示板
５  操作部
６  発音部
７  薄板
【図１】
2019239492.tif 000003
【図２】
2019239492.tif 000004
【国際調査報告】
2019239492.tif 000005
2019239492.tif 000006
2019239492.tif 000007
2019239492.tif 000008